【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
周波数軸方向の複数のサブキャリアと時間軸方向の複数のＯＦＤＭシンボルとによって組合せが形成され、組合せを送信スロット期間にわたって複数配置することによって周波数ブロックが形成されるとともに、周波数ブロックがシステム周波数帯域にわたって複数配置されており、送信スロット期間において、共有チャネルを複数の組合せに割り当てる割当部と、
前記割当部において複数の組合せに割り当てた共有チャネルを送信する送信部と
を備え、
前記割当部は、ひとつの送信スロットに含まれる複数の周波数ブロックのうち、少なくともふたつの周波数ブロックにまたがった複数の組合せに共有チャネルを割り当てることを特徴とする送信装置。
【請求項２】
各ユーザからの受信品質を示す情報に基づいて、共有チャネルを割り当てるスケジューリング部
をさらに備えることを特徴とする請求項１に記載の送信装置。
【請求項３】
前記割当部は、共通制御チャネルおよび選択されたユーザを示す制御情報を送信するチャネルのうち少なくとも一方を、複数の周波数ブロックのうち、少なくとも一つの周波数ブロックに割り当てることを特徴とする請求項１または２に記載の送信装置。
【請求項４】
前記割当部は、共通制御チャネルおよび選択されたユーザを示す制御情報を送信するチャネルのうち少なくとも一方に対して、組合せに基づいて、割当てを実行することを特徴とする請求項１または２に記載の送信装置。
【請求項５】
前記割当部は、共通制御チャネルおよび前記制御情報を送信するチャネルのうち少なくとも一方を、前記周波数ブロックを構成する複数のＯＦＤＭシンボルのうち、少なくとも一部のＯＦＤＭシンボルに割り当てることを特徴とする請求項４に記載の送信装置。
【請求項６】
前記割当部は、共通制御チャネルおよび選択されたユーザを示す制御情報を送信するチャネルのうち少なくとも一方を、周波数ブロックの先頭部分のＯＦＤＭシンボルに割り当てることを特徴とする請求項５に記載の送信装置。
【請求項７】
前記スケジューリング部は、ユーザへの送信に使用する無線パラメータを決定することを特徴とする請求項２に記載の送信装置。
【請求項８】
前記割当部は、データレートおよびモビリティのうち少なくとも一方に基づいて、割当てを実行することを特徴とする請求項１に記載の送信装置。
【請求項９】
周波数軸方向の複数のサブキャリアと時間軸方向の複数のＯＦＤＭシンボルとによって組合せが形成され、組合せを送信スロット期間にわたって複数配置することによって周波数ブロックが形成されており、周波数ブロックにおける先頭部分のＯＦＤＭシンボルに複数のコントロールシグナリングチャネルを割り当てる第１割当部と、
周波数ブロックのうち、コントロールシグナリングチャネルを割り当てたＯＦＤＭシンボルとは別の部分に、共有チャネルを割り当てる第２割当部と
を備え、
前記第１割当部は、複数のコントロールシグナリングチャネルをコード多重することを特徴とする送信装置。
【請求項１０】
各ユーザからの受信品質を示す情報に基づいて、共有チャネルを割り当てるスケジューリング部
をさらに備えることを特徴とする請求項９に記載の送信装置。
【請求項１１】
前記スケジューリング部は、選択されたユーザへの送信に使用する無線パラメータを決定することを特徴とする請求項１０に記載の送信装置。
【請求項１２】
前記第２割当部は、データレートおよびモビリティのうち少なくとも一方に基づいて、割当てを実行することを特徴とする請求項９に記載の送信装置。
【請求項１３】
周波数軸方向の複数のサブキャリアと時間軸方向の複数のＯＦＤＭシンボルとによって組合せが形成され、組合せを送信スロット期間にわたって複数配置することによって周波数ブロックが形成されるとともに、周波数ブロックがシステム周波数帯域にわたって複数配置されており、送信スロット期間において、共有チャネルを複数の組合せに割り当てるステップと、
複数の組合せに割り当てた共有チャネルを送信するステップと
を備え、
前記割り当てるステップは、ひとつの送信スロットに含まれる複数の周波数ブロックのうち、少なくともふたつの周波数ブロックにまたがった複数の組合せに共有チャネルを割り当てることを特徴とする割当方法。
【請求項１４】
前記割り当てるステップは、共通制御チャネルおよび選択されたユーザを示す制御情報を送信するチャネルのうち少なくとも一方を、複数の周波数ブロックのうち、少なくとも一つの周波数ブロックに割り当てることを特徴とする請求項１３に記載の割当方法。
【請求項１５】
前記割り当てるステップは、共通制御チャネルおよび選択されたユーザを示す制御情報を送信するチャネルのうち少なくとも一方に対して、組合せに基づいて、割当てを実行することを特徴とする請求項１３に記載の割当方法。
【請求項１６】
前記割り当てるステップは、共通制御チャネルおよび前記制御情報を送信するチャネルのうち少なくとも一方を、前記周波数ブロックを構成する複数のＯＦＤＭシンボルのうち、少なくとも一部のＯＦＤＭシンボルに割り当てることを特徴とする請求項１５に記載の割当方法。
【請求項１７】
前記割り当てるステップは、共通制御チャネルおよび選択されたユーザを示す制御情報を送信するチャネルのうち少なくとも一方を、周波数ブロックの先頭部分のＯＦＤＭシンボルに割り当てることを特徴とする請求項１６に記載の割当方法。
【請求項１８】
周波数軸方向の複数のサブキャリアと時間軸方向の複数のＯＦＤＭシンボルとによって組合せが形成され、組合せを送信スロット期間にわたって複数配置することによって周波数ブロックが形成されており、周波数ブロックにおける先頭部分のＯＦＤＭシンボルに複数のコントロールシグナリングチャネルを割り当てるステップと、
周波数ブロックのうち、コントロールシグナリングチャネルを割り当てたＯＦＤＭシンボルとは別の部分に、共有チャネルを割り当てるステップと
を備え、
前記割り当てるステップは、複数のコントロールシグナリングチャネルをコード多重することを特徴とする割当方法。
【手続補正２】
【補正対象書類名】明細書
【補正対象項目名】発明の名称
【補正方法】変更
【補正の内容】
【発明の名称】送信装置および割当方法
【手続補正３】
【補正対象書類名】明細書
【補正対象項目名】００１６
【補正方法】変更
【補正の内容】
【００１６】
上記課題を解決するため、本送信装置は、
周波数軸方向の複数のサブキャリアと時間軸方向の複数のＯＦＤＭシンボルとによって組合せが形成され、組合せを送信スロット期間にわたって複数配置することによって周波数ブロックが形成されるとともに、周波数ブロックがシステム周波数帯域にわたって複数配置されており、送信スロット期間において、共有チャネルを複数の組合せに割り当てる割当部と、
前記割当部において複数の組合せに割り当てた共有チャネルを送信する送信部と
を備え、
前記割当部は、ひとつの送信スロットに含まれる複数の周波数ブロックのうち、少なくともふたつの周波数ブロックにまたがった複数の組合せに共有チャネルを割り当てる。
本送信装置は、
周波数軸方向の複数のサブキャリアと時間軸方向の複数のＯＦＤＭシンボルとによって組合せが形成され、組合せを送信スロット期間にわたって複数配置することによって周波数ブロックが形成されており、周波数ブロックにおける先頭部分のＯＦＤＭシンボルに複数のコントロールシグナリングチャネルを割り当てる第１割当部と、
周波数ブロックのうち、コントロールシグナリングチャネルを割り当てたＯＦＤＭシンボルとは別の部分に、共有チャネルを割り当てる第２割当部と
を備え、
前記第１割当部は、複数のコントロールシグナリングチャネルをコード多重する。
【手続補正４】
【補正対象書類名】明細書
【補正対象項目名】００１８
【補正方法】変更
【補正の内容】
【００１８】
本割当方法は、
周波数軸方向の複数のサブキャリアと時間軸方向の複数のＯＦＤＭシンボルとによって組合せが形成され、組合せを送信スロット期間にわたって複数配置することによって周波数ブロックが形成されるとともに、周波数ブロックがシステム周波数帯域にわたって複数配置されており、送信スロット期間において、共有チャネルを複数の組合せに割り当てるステップと、
複数の組合せに割り当てた共有チャネルを送信するステップと
を備え、
前記割り当てるステップは、ひとつの送信スロットに含まれる複数の周波数ブロックのうち、少なくともふたつの周波数ブロックにまたがった複数の組合せに共有チャネルを割り当てる。
本割当方法は、
周波数軸方向の複数のサブキャリアと時間軸方向の複数のＯＦＤＭシンボルとによって組合せが形成され、組合せを送信スロット期間にわたって複数配置することによって周波数ブロックが形成されており、周波数ブロックにおける先頭部分のＯＦＤＭシンボルに複数のコントロールシグナリングチャネルを割り当てるステップと、
周波数ブロックのうち、コントロールシグナリングチャネルを割り当てたＯＦＤＭシンボルとは別の部分に、共有チャネルを割り当てるステップと
を備え、
前記割り当てるステップは、複数のコントロールシグナリングチャネルをコード多重する。